(57)【要約】【課題】枠体に設けられたガイドレールにおける発射機構から発射された球の衝突によるガイドレールの磨耗や変形を防止可能な遊技機枠を提供する。【解決手段】本発明に係るパチンコ遊技機の遊技機枠は、枠体７５Ａと、枠体の前後方向の貫通孔として枠体に設けられた盤面視認孔１と、枠体の裏側から遊技盤を枠体に取付けるために枠体に設けられた盤取付部と、枠の盤面視認孔よりも下部の前側に位置して枠体に設けられた発射機構４と、枠体の前側に盤面視認孔を囲む球の流下可能領域９を形成するように枠体に設けられたガイドレール３と、ガイドレールにおける発射機構から流下可能領域に発射された球の衝突する部分に前側から着脱可能に取り付けられた保護部材１５とを備えたことを特徴とする。【選択図】図１
2008006102.tif 000002
【特許請求の範囲】
【請求項１】
枠体と、枠体の前後方向の貫通孔として枠体に設けられた盤面視認孔と、枠体の裏側から遊技盤を枠体に取付けるために枠体に設けられた盤取付部と、枠の盤面視認孔よりも下部の前側に位置して枠体に設けられた発射機構と、枠体の前側に盤面視認孔を囲む球の流下可能領域を形成するように枠体に設けられたガイドレールと、ガイドレールにおける発射機構から流下可能領域に発射された球の衝突する部分に前側から着脱可能に取り付けられた保護部材とを備えたことを特徴とするパチンコ遊技機の遊技機枠。
【請求項２】
枠体と、枠体の前後方向の貫通孔として枠体に設けられた盤面視認孔と、枠体の裏側に枠体に対して開閉可能なように枠体に設けられた機構枠と、機構枠の前側から遊技盤を機構枠に取り付けるために機構枠に設けられた盤取付部と、枠体の盤面視認孔よりも下部の前側に位置して枠体に設けられた発射機構と、枠体の前側に盤面視認孔を囲む球の流下可能領域を形成するように枠体に設けられたガイドレールと、ガイドレールにおける発射機構から流下可能領域に発射された球の衝突する部分に前側から着脱可能に取り付けられた保護部材とを備えたことを特徴とするパチンコ遊技機の遊技機枠。
【請求項３】
枠体とガイドレールとが合成樹脂により一体に形成された枠構造体を備えたことを特徴とする請求項１又は請求項２に記載のパチンコ遊技機の遊技機枠。
【請求項４】
枠体と、枠体の前側に枠体に対して開閉可能なように枠体に設けられた前扉と、枠体の上部の前面に形成された盤設置部と、盤設置部の前側から遊技盤を盤設置部に取付けるために盤設置部に設けられた盤取付部と、枠体の盤設置部よりも下部の前側に位置して枠体に設けられた発射機構と、盤設置部に設置される遊技盤の前側に球の流下可能領域を形成するように前扉の裏面に設けられたガイドレールと、ガイドレールにおける発射機構から流下可能領域に発射された球の衝突する部分に後側から着脱可能に取り付けられた保護部材とを備えたことを特徴とするパチンコ遊技機の遊技機枠。
【請求項５】
保護部材は、ガイドレールにおける球の衝突する部分を覆う覆部と、覆部の先端より延長する嵌合部と、係止片とを備え、球の衝突する部分の裏面には、係止片が係止する係止部を備え、球の衝突する部分と枠体の前面との境界には、枠体の前面から枠体の後面に向かって延長して嵌合部が嵌合される溝を備えたことを特徴とする請求項１乃至請求項４のいずれかに記載のパチンコ遊技機の遊技機枠。
【請求項６】
球の衝突する部分のレール厚さ寸法を球の衝突する部分以外のレール厚さ寸法より大きくし、溝が、球の衝突する部分及び球の衝突する部分と球の衝突する部分以外との繋ぎ面に沿って設けられ、保護部材が、当該溝に嵌合される嵌合部を備えたことを特徴とする請求項５に記載のパチンコ遊技機の遊技機枠。
【請求項７】
嵌合部は、板材の下端部が折り返えされて形成され、折り返し片の弾性によって溝内に嵌合される構成としたことを特徴とする請求項５又は請求項６に記載のパチンコ遊技機の遊技機枠。
【請求項８】
保護部材が金属により形成されたことを特徴とする請求項１乃至請求項７のいずれかに記載のパチンコ遊技機の遊技機枠。
【請求項９】
枠体と、枠体の前側に枠体に対して開閉可能なように枠体に設けられた前扉と、枠体の上部の前面に形成された盤設置部と、盤設置部の前側から遊技盤を盤設置部に取付けるために盤設置部に設けられた盤取付部と、枠体の盤設置部よりも下部の前側に位置して枠体に設けられた発射機構と、盤設置部に設置される遊技盤の前側に球の流下可能領域を形成するように前扉の裏面に設けられたガイドレールとを備えたことを特徴とするパチンコ遊技機の遊技機枠。
【請求項１０】
盤取付部が止ねじ締結部により形成され、止ねじが止ねじ締結部に締結されることによって、遊技盤が枠体又は機構枠に固定されたことを特徴とする請求項１乃至請求項９のいずれかに記載のパチンコ遊技機の遊技機枠。
【発明の詳細な説明】
【技術分野】
【０００１】
本発明は、枠体に設けられたガイドレールにおける発射機構から発射された球の衝突によるガイドレールの磨耗や変形を防止可能な遊技機枠を提供する。
【背景技術】
【０００２】
外枠に対してヒンジにより開閉自在に取り付けられた前枠の前面にガイドレールが設けられるとともに、遊技盤装着枠の裏面に形成された凹部内に遊技盤が装着されるパチンコ遊技機の遊技機枠が知られている。
しかしながら、上記遊技機枠によれば、ガイドレールにおける発射機構から発射された球の衝突する部分は、球の衝突により磨耗したり変形しやすく、磨耗したり変形した場合には、球の飛び方に悪影響を及ぼすので、ガイドレール全体を交換しなければならない。
また、上記遊技機枠によれば、遊技部品を搭載した遊技盤が遊技盤装着枠の裏側から遊技盤装着枠内に収納され、遊技盤装着枠に開閉自在に取り付けられた裏機構板が遊技盤装着枠に対して閉じられることによって、遊技盤が遊技盤装着枠内に装着された構造であるので、遊技盤を交換する際などに裏機構板を開いた場合に遊技盤が遊技盤装着枠より脱落して遊技盤に搭載された遊技部品の損傷を招く。
【特許文献１】特開２００１−２１８９０４号公報
【発明の開示】
【発明が解決しようとする課題】
【０００３】
発明が解決しようとする問題点は、ガイドレールにおける発射機構から発射された球の衝突する部分が磨耗したり変形した場合には、ガイドレール全体を交換しなければならないという点や、遊技盤を交換する際などに遊技盤が遊技盤装着枠より脱落して遊技盤の裏面に設けられた部品の損傷を招くという点である。
【課題を解決するための手段】
【０００４】
本発明に係るパチンコ遊技機の遊技機枠は、枠体と、枠体の前後方向の貫通孔として枠体に設けられた盤面視認孔と、枠体の裏側から遊技盤を枠体に取付けるために枠体に設けられた盤取付部と、枠の盤面視認孔よりも下部の前側に位置して枠体に設けられた発射機構と、枠体の前側に盤面視認孔を囲む球の流下可能領域を形成するように枠体に設けられたガイドレールと、ガイドレールにおける発射機構から流下可能領域に発射された球の衝突する部分に前側から着脱可能に取り付けられた保護部材とを備えたことを特徴とする。
枠体と、枠体の前後方向の貫通孔として枠体に設けられた盤面視認孔と、枠体の裏側に枠体に対して開閉可能なように枠体に設けられた機構枠と、機構枠の前側から遊技盤を機構枠に取り付けるために機構枠に設けられた盤取付部と、枠体の盤面視認孔よりも下部の前側に位置して枠体に設けられた発射機構と、枠体の前側に盤面視認孔を囲む球の流下可能領域を形成するように枠体に設けられたガイドレールと、ガイドレールにおける発射機構から流下可能領域に発射された球の衝突する部分に前側から着脱可能に取り付けられた保護部材とを備えたことも特徴とする。
枠体とガイドレールとが合成樹脂により一体に形成されたことも特徴とする。
枠体と、枠体の前側に枠体に対して開閉可能なように枠体に設けられた前扉と、枠体の上部の前面に形成された盤設置部と、盤設置部の前側から遊技盤を盤設置部に取付けるために盤設置部に設けられた盤取付部と、枠体の盤設置部よりも下部の前側に位置して枠体に設けられた発射機構と、盤設置部に設置される遊技盤の前側に球の流下可能領域を形成するように前扉の裏面に設けられたガイドレールと、ガイドレールにおける発射機構から流下可能領域に発射された球の衝突する部分に後側から着脱可能に取り付けられた保護部材とを備えたことも特徴とする。
保護部材は、ガイドレールにおける球の衝突する部分を覆う覆部と、覆部の先端より延長する嵌合部と、係止片とを備え、球の衝突する部分の裏面には、係止片が係止する係止部を備え、球の衝突する部分と枠体の前面との境界には、枠体の前面から枠体の後面に向かって延長して嵌合部が嵌合される溝を備えたことも特徴とする。
球の衝突する部分のレール厚さ寸法を球の衝突する部分以外のレール厚さ寸法より大きくし、溝が、球の衝突する部分及び球の衝突する部分と球の衝突する部分以外との繋ぎ面に沿って設けられ、保護部材が、当該溝に嵌合される嵌合部を備えたことも特徴とする。
嵌合部は、板材の下端部が折り返えされて形成され、折り返し片の弾性によって溝内に嵌合される構成としたことも特徴とする。
保護部材が金属により形成されたことも特徴とする。
枠体と、枠体の前側に枠体に対して開閉可能なように枠体に設けられた前扉と、枠体の上部の前面に形成された盤設置部と、盤設置部の前側から遊技盤を盤設置部に取付けるために盤設置部に設けられた盤取付部と、枠体の盤設置部よりも下部の前側に位置して枠体に設けられた発射機構と、盤設置部に設置される遊技盤の前側に球の流下可能領域を形成するように前扉の裏面に設けられたガイドレールとを備えたことも特徴とする。
盤取付部が止ねじ締結部により形成され、止ねじが止ねじ締結部に締結されることによって、遊技盤が枠体又は機構枠に固定されたことも特徴とする。
【発明の効果】
【０００５】
本発明に係るパチンコ遊技機の遊技機枠によれば、枠体に設けられたガイドレールにおける球の衝突する部分に保護部材を備えたことで、球の衝突によるガイドレールの磨耗や変形を防止できるとともに、保護部材が球の衝突によって磨耗したり変形した場合には、保護部材を新しいものと取り替えることにより、球飛びを安定化させることができる。
前側から遊技盤を取り付けるために盤取付部を備えた機構枠を有した構成の遊技機枠としたことで、遊技盤の盤面側を見ながら機構枠に対する遊技盤の着脱作業を行えるため、遊技盤の機種を確認しながら作業を行え、遊技盤の取付け間違いを少なくできる。
枠体とガイドレールとが合成樹脂により一体に形成された枠構造体を備えたことにより、枠体とガイドレールとを個別に形成して互いに連結させた構成に比べて遊技機枠の構造を簡単にできる。また、枠構造体のガイドレールを保護部材で保護することによって、ガイドレールを備えた枠構造体全体を長く使用可能となる。従って、枠構造体のガイドレールを保護部材で保護しない場合のようにガイドレールが球の衝突により磨耗したり変形したりした場合の枠構造体全体の交換を回避できる。
前扉の裏面に設けられたガイドレールにおける球の衝突する部分に保護部材を備えた構成としたので、枠体の構造を簡単にできるとともに、球の衝突によるガイドレールの磨耗や変形を防止できる。
保護部材が覆部と嵌合部と係止片とを備え、球の衝突する部分の裏面には係止部を備え、球の衝突する部分と枠体の前面との境界には溝を備えたので、球の衝突する部分を覆うように保護部材をガイドレールに容易に着脱可能となり、また、保護部材のガイドレールからの脱落を防止できる。
球の衝突する部分のレール厚さ寸法を球の衝突する部分以外のレール厚さ寸法より大きくし、溝が、球の衝突する部分及び球の衝突する部分と球の衝突する部分以外との繋ぎ面に沿って設けられ、保護部材が、当該溝に嵌合される嵌合部を備えた構成としたことで、保護部材が取り付けられた状態において、保護部材に球が衝突した場合の保護部材のがたつきを小さくでき、球飛びを安定させることができる。
嵌合部が、板材の下端部が折り返えされて形成され、折り返し片の弾性によって溝内に嵌合される構成としたことによって、保護部材の取付安定性を向上でき、保護部材に球が衝突した場合の保護部材のがたつきを小さくできるので、球飛びを安定させることができる。
保護部材が金属により形成されたことで、保護部材の耐摩耗性及び強度を上げることができ、保護部材の使用可能時間を長くできる。
枠体が、前面に盤設置部と盤取付部とを備え、ガイドレールが、前扉の裏面に設けられた構成としたことによって、ガイドレールにおける球の衝突する部分が磨耗したり変形したりして球飛びが不安定となった場合でも、ガイドレールを交換することによって、枠体とガイドレールとが合成樹脂により一体に形成されたような枠構造体全体の交換を回避でき、ガイドレールの交換にかかるコストを削減できる。
盤取付部が止ねじ締結部により形成され、止ねじが止ねじ締結部に締結されることによって、遊技盤が枠体又は機構枠に固定される構成としたことによって、遊技盤の交換作業などにおいての遊技盤の脱落を防止できるので、遊技盤の脱落による遊技盤の損傷事故を防止できる。
【発明を実施するための最良の形態】
【０００６】
最良の形態１
図１乃至図４は、発明を実施するための最良の形態１である。図１は遊技機枠７１の前側を示す。図２は遊技機枠の裏側と遊技盤とを示す。図３は遊技盤が取り付けられた状態の遊技機枠の前側を示す。図４は遊技盤が取り付けられた状態の遊技機枠の断面を示す。図５は外レール部１１の一端部１４と保護部材１５とを示す。本明細書において、「前」、「後」、「裏」、「左」、「右」、「上」、「下」の方向は、図１の状態に遊技機枠７１を置いて矢印Ａで示す前側から見た場合に特定される方向である。「後」と「裏」とは同じ方向である。
【０００７】
図１を参照し、パチンコ遊技機における遊技機枠７１の構造について説明する。遊技機枠７１は、固定枠７２、可動枠７３を備える。可動枠７３は、枠構造体としての中枠７５、前扉８１、球皿構造体８２、機構枠８３（図２参照）を備える。外枠と呼ばれるような固定枠７２は、パチンコ店の島と呼ばれる図外の遊技設置構造体に取り付けられる。固定枠７２には、中枠７５が、左側のヒンジ７６で前側横方向に片開き可能にかつ着脱可能（交換可能）に取り付けられる。中枠７５には、前扉８１および球皿構造体８２が、左側のヒンジ７７で前側横方向に片開き可能にかつ着脱可能（交換可能）に取り付けられるとともに、機構枠８３が、左側のヒンジ７８で後側横方向に片開き可能にかつ着脱可能（交換可能）に取り付けられる。
【０００８】
中枠７５は、上部枠基盤８６、下部枠基盤８７を備える。上部枠基盤８６には、盤面視認孔１、盤取付部としての取付支柱２（図２参照）、ガイドレール３が形成される。下部枠基盤８７には、発射機構４、球払出路５が設けられる。発射機構４は、発射装置４Ａ、打撃槌６、発射レール７、ファール球取入口部８を備える。発射機構４は、中枠７５の盤面視認孔１よりも下部の前側、即ち、下部枠基盤８７の前面８８に設けられる。
【０００９】
図２に示すように、取付支柱２は、上部枠基盤８６の裏面８９に設けられる。球払出路５は、下部枠基盤８７の裏面９０に設けられる。即ち、枠構造体としての中枠７５は、上部枠基盤８６、下部枠基盤８７、盤面視認孔１、取付支柱２、球払出路５、発射レール７、ファール球取入口部８を備えた枠体７５Ａと、ガイドレール３とが、図外の成形型で一体に形成された合成樹脂成形品又はアルミニウム、マグネシウム等の金属成形品である。
【００１０】
盤面視認孔１は、上部枠基盤８６の前後方向に貫通する円形の貫通孔として上部枠基盤８６の中央に形成される。つまり、中枠７５は、前後方向に開放された円形の空間を囲む額縁形状の合成樹脂からなる。取付支柱２は、上部枠基盤８６の裏側から遊技盤４０を上部枠基盤８６の裏面８９に取付けるために、上部枠基盤８６の裏面８９における４隅部にそれぞれ設けられて裏面８９より後方に突出して形成される。遊技盤４０は、所定厚さの板厚を有する矩形板状の遊技盤本体４１と、遊技盤本体４１の前面により形成される盤面４２より前方に突出するように遊技盤本体４１に設けられた盤面遊技部品４３と、遊技盤本体４１の裏面４４に設けられた裏面遊技部品４５とを備える。遊技盤本体４１の４隅部には遊技盤本体４１の前後面に貫通する支柱貫通孔４６を備える。盤面遊技部品４３としては、センター飾り部品４３ａ、始動入賞部品４３ｂ、可変入賞部品４３ｃ、一般入賞部品４３ｄ、風車４３ｅ、障害釘や遊技釘と呼ばれる釘４３ｆ、アウト口４３ｇが設けられる。裏側遊技部品４５としては、図４に示すように、球樋４５ａ、表示装置４５ｂ、制御装置４５ｃ、電源装置４５ｄなどが設けられる。取付支柱２の突出長さは、支柱貫通孔４６の貫通長さよりも短い。
【００１１】
従って、止ねじ４７が、支柱貫通孔４６の前側から支柱貫通孔４６を貫通した取付支柱２の取付孔２ａに締結されることによって、止ねじ４７の頭部押え面４８が遊技盤本体４１の裏面４４に接触して遊技盤４０を上部枠基盤８６の裏面８９の方向に押圧し、遊技盤本体４１の前面４２と上部枠基盤の裏面８９とが互いに接触した状態に維持されて、遊技盤４０が固定された状態で上部枠基盤８６の裏面８９に取り付けられる（図４参照）。遊技盤４０が上部枠基盤８６の裏面８９に取り付けられた状態において、盤面視認孔１を経由して上部枠基盤８６の前側から盤面遊技部品４３を目視可能な遊技盤４０の盤面４２と、ガイドレール３と、前面４２の前方に位置される前面パネル８５とにより区画された球の流下可能領域９が形成される（図３；４参照）。
【００１２】
最良の形態１では、上部枠基盤８６の裏面８９に止ねじ締結部として機能する取付支柱２の取付孔２ａを備えるので、取付支柱２が遊技盤本体４１の支柱貫通孔４６に通された状態で取付支柱２の後端面から中枠７５の方向に延長して形成された取付孔２ａに止ねじ４７が締結されることによって、遊技盤４０が上部枠基盤８６の裏面８９に固定される。従って、遊技盤４０の交換作業などにおいて機構枠８３を開いたとしても止ねじ４７を取付支柱２より取り外さない限り遊技盤４０は脱落しないので、遊技盤４０の脱落を防止でき、遊技盤４０の脱落による裏側遊技部品４５の損傷事故を防止できる。
【００１３】
機構枠８３は、枠基盤５２を備える。枠基盤５２の中央には、上部枠基盤８６の裏面８９に取り付けられた遊技盤４０の裏面４４に設けられた裏側遊技部品４５を逃げるために前後に貫通する逃孔５３が形成される。枠基盤５２の逃孔５３を避けた裏面の左側部には球払出装置５５が設けられ、枠基盤５２の逃孔５３を避けた裏面の上部には球貯留タンク５６が設けられる。枠基盤５２の左側下部には、枠基盤５２の裏面に設けられた球払出装置５５から排出される球を中枠７５に設けられた球払出路５の入口５７に排出するための出口５８が設けられる。
【００１４】
図１に戻って、前扉８１は、前後方向に開放された窓８４を囲む額縁形状の枠部８４Ａを備え、枠部８４Ａの裏面には、ガラスまたは合成樹脂からなる光透過性を有する前面パネル８５が、窓８４を覆う格好で取り付けられる。前扉８１は、上部枠基盤８６の前面においてヒンジ７７で前側横方向に片開き可能に取り付けられる。球皿構造体８２は、下部枠基盤８７の前面８８においてヒンジ７７で前側横方向に片開き可能に取り付けられる。球皿構造体８２の前面には、球収納部５９と発射操作機構６０とを備える。球皿構造体８２の裏面には、球収納部５９から球を発射機構４に供給するための球供給路６１、球払出路５からの球を球収納部５９に取り込むための球取込口６２を備える。
【００１５】
中枠７５が閉じられた場合、図外のロック機構によって、開閉不能に、固定枠７２に支持される。前扉８１が閉じられた場合、図外のロック機構によって、開閉不能に、中枠７５に支持される。球皿構造体８２が閉じられた場合、ロック機構によって、開閉不能に、中枠７５に支持される。機構枠８３が閉じられた場合、図外のロック機構によって、開閉不能に、中枠７５に支持される。
【００１６】
ガイドレール３は、盤面視認孔１の孔縁１ａに沿って上部枠基盤８６の前面９１より前方に突出するよう設けられる。換言すれば、ガイドレール３は、上部枠基盤８６の前側に盤面視認孔１を囲む球の流下可能領域９を形成するように上部枠基盤８６に設けられる。ガイドレール３は、外レール部１１、内レール部１２、連結部１３を備える。外レール部１１及び内レール部１２は、上部枠基盤８６の前面９１に設けられた帯状体により形成される。外レール部１１は、上部枠基盤８６の左下部から上方に延長して円弧を描くように上部枠基盤８６の上部中央を経由して上部枠基盤８６の右上部まで延長する帯状材が上部枠基盤８６の前面９１より前方に垂直に一定の長さだけ突出する。内レール部１２は、上部枠基盤８６の右上部から下方に延長して円弧を描くように上部枠基盤８６の下部中央を経由して上部枠基盤８６の左上部まで延長する帯状体が上部枠基盤８６の前面９１より前方に垂直に一定の長さだけ突出する。上部枠基盤８６の右上部に位置する外レール部１１の一端と上部枠基盤８６の右上部に位置する内レール部１２の一端とが連結部１３によって互いに連結される。
【００１７】
上部枠基盤８６の左側前面に設けられた外レール部１１の内面１４ａとこの外レール部１１の内面１４ａと対向する内レール部１２の外面３２との間が発射通路３３として形成される。発射通路３３は、上部枠基盤８６の左側前面の下方から上方に延長した後に右方向に曲がる曲路により形成される。発射通路３３の出口を形成する内レール部１２の終端部には戻球防止弁３４が設けられる。戻球防止弁３４は、ガイドレール３の厚さ、即ち、ガイドレール３において上部枠基盤８７の前面９１より前方に垂直に延長する方向と直交する方向の厚さ寸法（以下レール厚さ寸法という）よりも薄い厚さの薄帯板状のステンレスまたは合成樹脂により形成される板ばねである。外レール部１２の内面１４ａと内レール部１１の内面１４ｂとを繋ぐ連結部１３の内面には球反発体３５が設けられる。球反発体３５は例えば弾性を有するゴムや合成樹脂など球が衝突することにより球に反発力を付与し得る材料で形成される。
【００１８】
戻球防止弁３４は、発射通路３３から戻球防止弁３４を押し開けて球の流下可能領域９に発射された球が流下可能領域９から発射通路３３に戻るのを防止する。つまり、発射機構から発射された球が、発射通路３３から戻球防止弁３４を押し開けることによって、戻球防止弁３４の先端部が、外レール部１１の内面１４ａから離れるように、戻球防止弁３４の取付部を基準として、戻球防止弁３４が、全体的に流下可能領域９の側に弾性変形する。そして、戻球防止弁３４を押し開けた球が、戻球防止弁３４から流下可能領域９の側に離れることによって、戻球防止弁３４の先端部が、外レール部１１の内面１４ａに近づくように、戻球防止弁３４が復元する。このように戻球防止弁３４が、復元した形態において、流下可能領域９から発射通路３３内に入ろうと逆行してきた場合、当該球が、戻球防止弁３４に衝突し、戻球防止弁３４が、当該球を流下可能領域９から発射通路３３に取り込まれることを防止して流下可能領域９に跳ね返す。
【００１９】
遊技者が、球皿構造体８２の球収納部５９に球を入れ、発射操作機構６０および電気系統が、電気的に起動した状態において、人が、発射操作機構６０を操作すると、発射機構４が、発射操作機構６０から出力された操作量に応じた発射力で例えば１分間に１から１００発未満までの所定数の間隔で駆動し、この発射装置４Ａが、球収納部５９から発射レール７に供給された球を１個ずつ遊技盤の発射通路３３に向けて発射する。この発射通路３３に発射された球が、発射通路３３から戻球防止弁３４を押し開けて流下可能領域９に到達した後に流下可能領域９を流下する過程において、一般入賞部品４３ｄや始動入賞部品４３ｂあるいは可変入賞部品４３ｃに入賞すると、一般入賞部品４３ｄや始動入賞部品４３ｂあるいは可変入賞部品４３ｃに入賞した球が、遊技盤４０裏側に排出される一方、それぞれの入賞に対応する賞球としての球が、払出機構５５から球収納部５９に払い出される。一般入賞部品４３ｄや始動入賞部品４３ｂあるいは可変入賞部品４３ｃに入賞しないで流下可能領域９の最下部に流れた球は、アウト口４３ｇに取り込まれた後に遊技盤４０の裏側に排出される。
【００２０】
ガイドレール３において、発射機構４から流下可能領域９に発射された球の衝突する部分、即ち、上部枠基盤８６の左下部に位置する外レール部１１の一端部１４の内面１４ａを覆うように、一端部１４に着脱可能な保護部材１５がガイドレール３の前側から一端部１４に取り付けられる。即ち、発射機構４から流下可能領域９に発射された球が外レール部１１の一端部１４の内面１４に衝突しないように、ガイドレール３の外レール部１１の一端部１４が、その一端部１４の内面１４ａを覆うようにガイドレールの前側から一端部１４に着脱可能に取り付けられる保護部材１５を備える。
【００２１】
図５のｃ図に示すように、一端部１４の裏面１７における前端面１６側には上部枠基盤８６の前面９１と平行な面よりなる係止面１８を備えた係止部１８Ａが形成される。一端部１４の内面１４ａと上部枠基盤８６の前面９１との境界には、上部枠基盤８６の前面９１から上部枠基盤８６の後面８９に向かって延長する溝２１が形成される。尚、２２は上部枠基盤８６に残った型抜き用の残渣孔である。
【００２２】
保護部材１５は、薄帯板状のステンレスのような金属により形成される。保護部材１５は、一端部１４の前端面１６を覆う前端面覆部２５と、前端面覆部２５の一側縁より後方に直角に延長して一端部１４の内面１４ａを覆う内面覆部２６と、内覆部２６の先端より延長する嵌合部２７、前端面覆部２５の他側縁より後方に直角に延長して一端部１４の係止部１８Ａの外面３０を覆う外面覆部２８と、外面覆部２８の先端より内覆部２６の方向に直角に延長するように設けられて係止面１８に係止する係止片２９とを備える。保護部材１５は、図５のｃ図に示す断面形状で、図５のａ図、ｂ図に示すように外レール部１１に沿った方向に長い長尺材により形成される。溝２１の外レール部１１に沿った方向の長さは、保護部材１５の嵌合部２７を嵌合可能な長さ、即ち、嵌合部２７における外レール部１１に沿った方向の長さに合わせて形成される。
【００２３】
保護部材１５の内面覆部２６が一端部１４の内面１４ａに沿って前面９１の方向に移動され、保護部材１５の係止片２９が係止部１８Ａの外面３０に沿って前面９１の方向に移動され、保護部材１５の嵌合部２７が溝２１に挿入されるとともに係止片２９が外面３０上を通過して係止面１８に係止することによって、保護部材１５が一端部１４の内面１４ａを覆うように一端部１４に取り付けられる。この場合、発射機構４より発射された球が保護部材１５に衝突しても、保護部材１５の係止片２９と係止面１８との係合によって一端部１４からの保護部材１５の脱落が防止される。また、溝２１内に嵌め込まれた嵌合部２７の移動が溝２１の内壁によって規制されて保護部材の上部枠基盤８６の前面９１に沿った方向への移動が規制されるために嵌合部２７の溝２１からの抜けが防止され、一端部１４からの保護部材１５の脱落が防止される。また、保護部材１５が薄帯板状のステンレスのような金属により形成されたことで、保護部材１５の耐摩耗性及び強度を上げることができ、保護部材１５の使用可能時間を長くできる。
【００２４】
発射機構４より発射された球の衝突によって保護部材１５が磨耗したり変形したりして球飛びが不安定になった場合には、人為的に保護部材１５の係止片２９と一端部１４の係止面１８との係合を解除して一端部１４から保護部材１５を取り外した後に、新しい保護部材１５を一端部１４に取り付けることで、球飛びを安定化させることができる。したがって、保護部材１５を用いずにガイドレール３の一端部４１の内面１４ａが磨耗したり変形した場合のように、ガイドレール３が一体となった中枠７５全体を交換しなければならなくなるというような事態を回避できる。
【００２５】
最良の形態１では、保護部材１５が、一端部１４の係止面１８と係合する係止片２９、及び、上部枠基盤８６に形成された溝２１内に嵌合される嵌合部２７を備えるので、保護部材１５を外レール部１１の一端部１４に容易に着脱可能であるとともに、保護部材１５の一端部１４からの脱落を防止できる。また、保護部材１５が、内面１４ａと球との接触を防止するので、ガイドレール３の一端部４１の内面１４ａを磨耗や変形から保護できるため、ガイドレール３が一体となった中枠７５全体の交換を回避できる。即ち、外レール部１１の一端部１４に保護部材１５を取り付けたことで、球の衝突する部分に相当する内面１４ａの磨耗や変形を防止できるとともに、保護部材１５が球の衝突によって磨耗したり変形した場合には、保護部材１５を新しいものと取り替えることにより、球飛びを安定化させることができる。また、枠体７５Ａとガイドレール３とが合成樹脂により一体に形成された枠構造体としての中枠７５を備えたことにより、枠体７５Ａとガイドレール３とを個別に形成して互いに連結させた構成に比べて遊技機枠の構造を簡単にできる。また、中枠７５のガイドレール３を保護部材１５で保護することによって、ガイドレール３を備えた中枠７５を長期間使用できるようになる。従って、中枠７５のガイドレール３を保護部材１５で保護しない場合のようにガイドレール３が球の衝突により磨耗したり変形したりした場合の中枠７５全体の交換を回避できる。
【００２６】
最良の形態２
図６に示すように、外レール部１１の一端部１４のレール厚さ寸法Ｄ１を外レール部１１の一端部１４以外のレール厚さ寸法Ｄ２よりも大きくした。つまり、一端部１４の裏面１７と一端部以外の裏面１７Ａとを同一平面とし、外レール部１１の一端部１４の裏面１７と内面１４Ａとの間の最短距離であるレール厚さ寸法Ｄ１よりも外レール部１１の一端部以外の裏面１７Ａと内面１４Ｂとの間の最短距離であるレール厚さ寸法Ｄ２よりも大きくし、内面１４Ａと内面１４Ｂとの間に段差Ｈを設けた。尚、内面１４Ａと内面１４Ｂとを繋ぐ繋ぎ面１４Ｃを内面１４Ｂから外レール部１１の一端１１ｅの方向に傾斜する傾斜面あるいは曲面に形成し、発射機構４から発射された球が逆戻りした場合に繋ぎ面１４Ｃに衝突して弾まないように段差Ｈを小さくする。繋ぎ面１４Ｃ及び内面１４Ａと上部枠基盤８６の前面９１との境界には、一端部１４における一端１１ｅから他端１１ｆまで延長するとともに上部枠基盤８６の前面９１から上部枠基盤８６の後面８９に向かって延長する溝２１が形成される。保護部材１５の内面覆部２６と嵌合部２７は、溝２１における繋ぎ面１４Ｃに沿った部分の溝部２１ａに嵌合可能な形状に形成される。最良の形態２によれば、嵌合部２７が溝２１に嵌合されることによって嵌合部２７の外レール部１１に沿った方向の動きが溝２１の溝壁により規制されるので、保護部材１５の外レール部１１に沿った方向の動きをより規制できる。よって、保護部材１５が一端部４１に取り付けられた状態において、保護部材１５に球が衝突した場合の保護部材１５のがたつきを小さくできるので、球飛びを安定させることができる。
【００２７】
最良の形態３
図７に示すように、下端部を折り返して断面Ｕ字形状に形成された嵌合部２７を備えた保護部材１５を用いる。この場合、溝２１の横幅の寸法を溝２１に嵌り込む嵌合部２７の横幅の寸法より小さく形成しておき、嵌合部２７が嵌合部２７の弾性変形により溝２１内に嵌め込まれたあとに折返片２７ａの弾性により嵌合部２７が溝２１の内壁方向に付勢されることで嵌合部２７の折返片２７ａの外面が溝２１の内壁の方向に押圧され、嵌合部２７の外面と溝２１の内壁とが密着状態で互いに接触するので、保護部材１５の取付安定性を向上できる。よって、最良の形態３によれば、保護部材１５が一端部４１に取り付けられた状態において、保護部材１５に球が衝突した場合の保護部材１５のがたつきを小さくできるので、球飛びを安定させることができる。
【００２８】
最良の形態４
図７に示すように、係止部１８の外面３０を傾斜面３０Ａに形成する。傾斜面３０Ａは、前端面１６より上部枠基盤８６の方向に向けて内面１４より離れる方向に下る傾斜面である。例えば、前端面１６のレール厚さ寸法Ｄ３と、係止片２９の先端２９ｔと内面覆部２６の内面２６ａとの間の最短距離寸法Ｄ４とをほぼ同じ寸法に形成することによって、係止片２９の先端２９ｔが傾斜面３０Ａ上を滑りながら移動した後に係止片２９が係止面１８に容易に係止するので、一端部１４に対する保護部材１５の取り付けが容易となる。
【００２９】
最良の形態５
図８に示すように、中枠７５における上部枠基盤８６の裏面８９の左側の上下の部位に遊技盤４０をヒンジ９２によって後ろ側に片開き可能に取り付けるとともに遊技盤本体４１の右側を上部枠基盤８６の裏面８９の右側に固定する。即ち、上部枠基盤８６の裏面８９の左側の上下の部位とこの部位に対応する遊技盤本体４１の左部の上下とにヒンジ９２を構成するそれぞれ対応する雄雌一対のヒンジ部材９３；９４を設け、上部枠基盤８６の裏面８９の右側の上下の角部付近に裏面８９より後方に突出する取付支柱２を設け、上部枠基盤８６の裏面８９の右上の及び右下の角部付近に遊技盤本体４１の盤面４２から裏面４３に貫通する取付支柱貫通孔４６を設けた構成とする。最良の形態５によれば、一対のヒンジ部材９３；９４同士を組み付けることによって遊技盤４０が中枠７５に取り付けられるので、ねじ締結による遊技盤４０の固定作業を容易とできる。
【００３０】
最良の形態６
遊技盤４０を機構枠８３の前側から機構枠８３の前面に取り付ける構成とした。たとえば、図９に示すように、機構枠８３の枠部の左側内面８３ａに遊技盤４０の左端側前面を抑えるストッパ９５を設け、機構枠８３の基盤５２の右側前面の上下に取付支柱２を設けた。最良の形態６によれば、遊技盤４０の盤面４２側を見ながら着脱作業を行えるため、遊技盤４０の機種を確認しながら作業を行え、違う機種の遊技盤４０を間違えて取り付けてしまうような取付け間違いを少なくできる。
【００３１】
最良の形態７
図１０に示すように、ガイドレール３を前扉８１の裏面に設けた構成とする。例えば、ガイドレール３の円形の径よりも大きくて枠部８４Ａの裏面８４Ｂの大きさより小さい合成樹脂による透過性を有する矩形平板９６と矩形平板９６の一方の平面に設けられた合成樹脂によるガイドレール３とが一体に形成されたガイドレール取付板９７を用意し、このガイドレール取付板９７の矩形平板の他方の平面が枠部８４Ａの裏面８４Ｂ側に向けられ、ガイドレール取付板９７が前扉８１の枠部８４Ａの裏面８４Ｂに止ねじ９８で取り付けられた構成とした。この場合、中枠７５としては、上部の前面に後方に窪む凹部により形成された盤設置部１００を備え、盤設置部１００には、盤設置部１００の前側から遊技盤４０を盤設置部１００に取付けるために、例えば図２に示すような取付支柱２のような盤取付部や、図９のストッパ９５及び取付支柱２のような盤取付部を備え、盤設置部１００の基盤５２には前後に貫通する逃孔５３を備え、遊技盤４０を盤設置部１００の前側から盤設置部１００内に収納して盤取付部により取り付けることの可能な構成を備えたものとする。最良の形態によれば、ガイドレール３を一体に備えた特殊な中枠７５を用いることなく、中枠７５の構造を簡単にできるとともに、遊技盤４０の盤面４２の構成を簡素化できる。
【００３２】
最良の形態５；６；７においても、最良の形態１〜４で説明した保護部材１５を用いることによって最良の形態１〜４の効果を得ることができる。
【００３３】
最良の形態５；６；７において、最良の形態１〜４で説明した保護部材１５を用いない構成としてもよい。この場合でも、盤取付部を備えているので、遊技盤を中枠又は機構枠に固定することができ、遊技盤４０の脱落を防止できる。
【００３４】
特に、最良の形態７の場合、ガイドレール３の一端部４１の内面１４ａが磨耗したり変形したりして球飛びが不安定となった場合は、ガイドレールとを一体に備えたガイドレール取付板を交換することによって、ガイドレール３が一体となった中枠７５全体の交換を回避でき、ガイドレール３の交換にかかるコストを削減できる。
【産業上の利用可能性】
【００３５】
合成樹脂製の保護部材１５を用いれば、合成樹脂製のガイドレール３と保護部材１５との一体性を高めることができ、ガイドレール３と保護部材１５との最良の違いによる違和感を少なくできる。枠体７５Ａとガイドレール３とを個別に形成して互いに連結させた構成の中枠７５を使用してもよい。ガイドレール取付板９７は、個別の矩形平板とガイドレールとを組み合わせて形成されたものを使用してもよい。外レール部１１の一端１１ｅから発射通路３３の終端までに渡って外レール部１１の内面を覆うような長さの保護部材１５を取り付けてもよい。
【図面の簡単な説明】
【００３６】
【図１】遊技機枠の前側を示す斜視図（最良の形態１）。
【図２】遊技機枠の裏側と遊技盤とを示す分解斜視図（最良の形態１）。
【図３】遊技盤が取り付けられた遊技機枠の前側を示す斜視図（最良の形態１）。
【図４】遊技盤が取り付けられた遊技機枠の断面図（最良の形態１）。
【図５】外レール部の一端部と保護部材との関係を示す図（最良の形態１）。
【図６】外レール部の一端部と保護部材との関係を示す図（最良の形態２）
【図７】外レール部の一端部と保護部材との関係を示す図（最良の形態３；４）。
【図８】遊技機枠の裏側と遊技盤とを示す分解斜視図（最良の形態５）。
【図９】遊技機枠の裏側と遊技盤とを示す分解斜視図（最良の形態６）。
【図１０】遊技機枠の前側を示す斜視図（最良の形態７）。
【図１１】遊技盤が取り付けられた遊技機枠の断面図（最良の形態７）。
【符号の説明】
【００３７】
１  盤面視認孔、２  取付支柱（盤取付部）、２ａ  取付孔（止ねじ締結部）、
３  ガイドレール、４  発射機構、９  流下可能領域、
１４ａ  一端部の内面（球の衝突する部分）、１４Ｃ  繋ぎ面、１５  保護部材、
１７  裏面、１８  係止面（係止部）、２１  溝、２６  内面覆部（覆部）、
２７  嵌合部、２７ｂ  折り返し片、２９  係止片、４０  遊技盤、４７  止ねじ、
７１  遊技機枠、７５  中枠（枠構造体）、７５Ａ  枠体、８１  前扉、８３  機構枠、８９  後面、９１  前面、１００  盤設置部。
【図１】
2008006102.tif 000003
【図２】
2008006102.tif 000004
【図３】
2008006102.tif 000005
【図４】
2008006102.tif 000006
【図５】
2008006102.tif 000007
【図６】
2008006102.tif 000008
【図７】
2008006102.tif 000009
【図８】
2008006102.tif 000010
【図９】
2008006102.tif 000011
【図１０】
2008006102.tif 000012
【図１１】
2008006102.tif 000013